(57)【要約】【課題】  本願は、低コストで、施工しやすい天井材取付構造を提供することを目的とする。【解決手段】  本願は、天井材支持部材を用いた天井材取付構造である。天井材は、ボード状である。天井材支持部材は、つば部を有する断面略ハット形であり、その山高は、天井材の厚みを超える高さである。鉄骨母屋を構成する形鋼の上面に、天井材支持部材がかぶせられる。そして、隣り合う形鋼にかぶせられた天井材支持部材同士において、互いに対向する側のつば部上に天井材が載せられる。【選択図】  図１
2017053107.tif 000002
【特許請求の範囲】
【請求項１】
天井材支持部材を用いた天井材取付構造であって、
天井材は、
ボード状であり、
前記天井材支持部材は、
つば部を有する断面略ハット形であり、
その山高は、
天井材の厚みを超える高さであって、
鉄骨母屋を構成する形鋼の上面に、
天井材支持部材がかぶせられ、
隣り合う形鋼にかぶせられた天井材支持部材同士において、
互いに対向する側のつば部上に天井材が載せられる
天井材取付構造。
【発明の詳細な説明】
【技術分野】
【０００１】
本願は、低コストで、施工しやすい天井材取付構造を提供することを目的とする。
【背景技術】
【０００２】
従来技術について、図６で説明する。
【０００３】
図６は、特開２００８−８１３１号公報にて公開されている下地材保持部材に関する技術である。図６に示した先行技術は、一対の鋼製建材に着脱自在に係合する係合部と、一対の鋼製建材の一方の開口部に挿入した下地材の一方の端部を保持する第１保持部と、一対の鋼製建材の他方に向けて延在してきた下地材の他方の端部を保持する第２保持部とを備えていることを特徴としている。
【先行技術文献】
【特許文献】
【０００４】
【特許文献１】特開２００８−８１３１号公報
【発明の概要】
【発明が解決しようとする課題】
【０００５】
図６に示した先行技術では、鋼製建材の一方の開口部に下地材の一方の端部を挿入しなければならない。そのため、断面略Ｃ形の鋼製建材にしか用いることができない。また、断面略Ｃ形の鋼製建材であっても、一対の鋼製建材の開口部同士が向かい合わせの場合等に用いることができない。
【０００６】
さらに、図６に示した先行技術では、鋼製建材の一方の開口部に下地材の一方の端部を挿入しなければならない。その作業を鋼製建材上から行うのは、作業負荷が大きい上に、危険であった。また、図６に示した先行技術では、下地材保持部材の弾性を利用して第１保持部で下地材を押さえている。そのため、下地材の厚さを変更する場合、下地材保持部材もその厚さにあったものに変更する必要があった。
【課題を解決するための手段】
【０００７】
本願は、天井材支持部材を用いた天井材取付構造である。天井材は、ボード状である。天井材支持部材は、つば部を有する断面略ハット形であり、その山高は、天井材の厚みを超える高さである。鉄骨母屋を構成する形鋼の上面に、天井材支持部材がかぶせられる。そして、隣り合う形鋼にかぶせられた天井材支持部材同士において、互いに対向する側のつば部上に天井材が載せられる。
【発明の効果】
【０００８】
本願は、断面略ハット形の天井材支持部材を形鋼の上面にかぶせるだけである。そのため、鋼製建材（形鋼）が断面略Ｃ形以外でも、天井材を取り付けることができる。また、一対の鋼製建材（形鋼）の開口部同士が向かい合わせ等であっても、天井材を取り付けることができる。
【０００９】
さらに、本願は、隣り合う形鋼にかぶせられた天井材支持部材同士において、互いに対向する側のつば部上に天井材を載せるだけで構成することができる。そのため、鉄骨母屋を構成する形鋼の上から天井材を取り付けることができ、簡単かつ安全である。それに加え、天井材支持部材の山高は、天井材の厚みを超える高さであればよい。そのため、下地材の厚さは、天井材支持部材の山高までの範囲内であれば、自由に変更することができる。
【図面の簡単な説明】
【００１０】
【図１】本願の天井材取付構造の実施例を示す説明図である。
【図２】本願における天井材支持部材の実施例を示す説明図である。
【図３】本願の天井材取付構造の実施例を示す説明図である。
【図４】本願の天井材取付構造の実施例を示す説明図である。
【図５】本願の天井材取付構造の実施例を示す説明図である。
【図６】従来技術の説明図である。
【実施例】
【００１１】
本願の天井材取付構造について、図１から図５までにより説明する。図１は、天井材取付構造の実施例を示す斜視図である。図２は、天井材支持部材の実施例を示す斜視図である。図３は、天井材取付構造の実施例を示す正面図であり、野地を破線で示している。図４は、図３とは異なる天井材取付構造の実施例を示す正面図であり、野地を破線で示している。図４は、天井材取付構造において係止片を形成した実施例を示す拡大斜視図である。
【００１２】
本願において、天井材２は、ボード状の建材である。たとえば、吸音材、断熱材、化粧ボード、又はそれらの複合板等を指す。なお、本願においては、天井材２は、取り付けられた後、その下面が室内側となる。そのため、天井材２の下面側は化粧加工されていることが望ましい。
【００１３】
本願において、天井材支持部材１は、つば部１１、立面部１２、頂部１３を有する断面略ハット形である。天井材支持部材１は、長さ寸法は問わない。ただし、天井材２の寸法よりも長くすることによって、天井材支持部材１・１上に複数の天井材２が載せられる。そのため、天井材支持部材１の必要数を減らすことができ、コスト・作業負荷を低下させることができる。この場合、天井材２の寸法の整数倍の長さにすると、天井材２・２同士の目地と、天井材支持部材１・１（つば部１１・１１）同士の目地の位置が揃い、室内側からの意匠性が高まる。
【００１４】
本願において、天井材支持部材１の山高は、天井材２の厚みを超える寸法である。いいかえれば、立面部１２の高さ寸法は、天井材１の厚みを超える寸法である。こうすることによって、天井材２が取り付けられた後、天井材２の上面の位置が、天井材支持部材１の頂部１３りも一段低くなる。このあと、天井材支持部材１上（形鋼上）に野地Ｎを設置すると、図３のように野地Ｎの下面と天井材２の上面の間に空気層Ａが形成される。この空気層Ａが形成されることによって、断熱・吸音等の効果を高めることができる。
【００１５】
本願において、天井材支持部材１の山高は、天井材２の厚みを超える寸法であればよい。図３に示すように、つば部１１の位置と、形鋼Ｋの底面の位置を同じ高さとするのが、意匠的には最適である。このとき、室内側から見て、形鋼Ｋの底面、天井材支持部材１のつば部１１、天井材２の底面が平面的に見える状態になっている。また、図４に示すように、つば部１１の位置が形鋼Ｋの底面よりも（ａ）高い位置でも、（ｂ）低い位置でも良い。ただし、形鋼Ｋが断面略Ｃ形である場合、図４（ａ）のように、下側のリップの先端よりもつば部１１の位置が低いことが望ましい。そうすることで、形鋼Ｋの開口が室内側から見えなくなり、意匠性が高まる。
【００１６】
本願において、天井材支持部材１の立面部１２に、天井材２の上面を押さえる係止片１２ａを形成してもよい。たとえば、図５のように、天井材支持部材１の立面部１２に切込みをあらかじめ入れておき、つば部１１上に天井材２を載せた後に係止片１２ａとして外側に折り曲げるようにしてもよい。そうすることによって、つば部１１に天井材２を載せるときに邪魔にならず、施工中に天井材２が風により飛散するのを防げるので、施工性を向上させることができる。
【００１７】
本願において、形鋼Ｋは、鉄骨母屋を構成している。形鋼Ｋの断面は、略Ｃ形のほか、上面を有していれば、いかなる形状であってもよい。とくに、開口の有無やその向きは問わない。
【００１８】
本願は、鉄骨母屋を構成する形鋼Ｋの上面に、天井材支持部材１をかぶせる。その際、天井材支持部材１の頂部１３の裏面である開口側と、形鋼Ｋの上面とが接するように設置される。このようにすることによって、天井材支持部材１の頂部１３両端から折り下げられた立面部１２・１２が、形鋼Ｋの上面両端部を挟むような状態になる。したがって、立面１２・１２が、形鋼Ｋに対して天井材支持部材１の位置決め、及びズレ止めの役割を果たす。
【００１９】
本願は、隣り合う形鋼Ｋにかぶせられた天井材支持部材１・１同士において、互いに対向する側のつば部１１・１１上に天井材２の両端部が載せられる。これが繰り返され、天井材２の取り付けが行われる。この取り付け作業は、鉄骨母屋を構成する形鋼Ｋの上からすべて行うことができる。そのため、建物の内側から天井材２を取り付ける構造に比べて、足場を少なくすることができる。これによって、施工コストを低く抑えることができる。
【符号の説明】
【００２０】
１        天井材支持部材
１１      つば部
１２      立面部
１２ａ    係止片
１３      頂部
２        天井材
Ｋ        形鋼
Ａ        空気層
Ｎ        野地
【図１】
2017053107.tif 000003
【図２】
2017053107.tif 000004
【図３】
2017053107.tif 000005
【図４】
2017053107.tif 000006
【図５】
2017053107.tif 000007
【図６】
2017053107.tif 000008